(57)【要約】【課題】  ドレイン本体の受皿部の周囲に、防水層を敷設するための防水層被着面を簡単に形成し得るドレイン用抜き型体保持装置を提供する。【解決手段】  抜き型体８に受皿部３の周縁から外方に延出する径大延出部１０を設け、該径大延出部１０の下面に、内方傾斜した受皿部３の上面の傾斜角度に略一致して、該受皿部３の上面に対して略面一状となる傾斜面１１を形成した。これにより、打設したコンクリート２６の硬化後に抜き型体８を除去すると、径大延出部１０の下面の傾斜面１１によって所望の防水層被着面２７を簡単に形成することができる。【選択図】    図１
2005325582.tif 000002
【特許請求の範囲】
【請求項１】
受皿部と該受皿部から下方に延成された排水管部とからなり、受型枠上に保持されるドレイン本体の、その中心に一致させて該受型枠上に立設される支持杆と、
前記ドレイン本体の受皿部に乗載され、前記支持杆が挿通される厚み方向の貫通孔が形成された抜き型体と、
前記貫通孔に挿通されて抜き型体から上方へ突出する支持杆のその突出部に着脱自在に固定され、抜き型体の上面に当接してその高さ位置を保持する保持手段と
を備えたドレイン用抜き型体保持装置において、
前記抜き型体が受皿部の周縁から外方に延出する径大延出部を備え、該径大延出部の下面に、内方傾斜した受皿部上面の傾斜角度に略一致して、該受皿部上面に対して略面一状となる傾斜面が形成されていることを特徴とするドレイン用抜き型体保持装置。
【請求項２】
径大延出部の下面に、受皿部の外周面を囲繞する環状突部が一体形成されていることを特徴とする請求項１記載のドレイン用抜き型体保持装置。
【請求項３】
抜き型体に、上面と下面とを連通する水抜き孔が形成され、かつ該水抜き孔を囲繞する排水案内筒が、排水管部の開口領域内に臨ませて下方突成されていることを特徴とする請求項１又は請求項２記載のドレイン用抜き型体保持装置。
【請求項４】
抜き型体の下面に、受皿部の上面外周縁近傍に圧接して、打設したコンクリートから滲出する余剰水の浸入を防止するための弾性環状止水リブを備えていることを特徴とする請求項１乃至請求項３の何れかに記載のドレイン用抜き型体保持装置。
【発明の詳細な説明】
【技術分野】
【０００１】
本発明は、打込型ルーフドレインの施工にあって、ドレイン本体の周囲に防水層を敷設するための傾斜面を形成する抜き型体を、コンクリートの打設時に、ドレイン本体と共に保持するドレイン用抜き型体保持装置に関する。
【背景技術】
【０００２】
打込型ルーフドレインの施工にあって、コンクリートの打設時に、ドレイン本体上に所定形状の排水溝を形成する抜き型体を、ドレイン本体とともに保持する保持装置が知られている（例えば、特許文献１参照）。
【０００３】
この保持装置ａは、図１０に示すように、受型枠ｄ上に保持されるドレイン本体ｂの中心に一致させて該受型枠ｄ上に立設される支持杆ｅと、前記ドレイン本体ｂの受皿部ｃに乗載され、前記支持杆ｅが挿通される厚み方向の貫通孔ｆが形成された抜き型体ｇと、前記貫通孔ｆに挿通されて抜き型体ｇから上方へ突出する支持杆ｅのその突出部に着脱自在に固定され、抜き型体ｇの上面に当接してその高さ位置を保持する保持手段ｈとを備えている。ここで、抜き型体ｇは、所定の厚みがあり、下部直径がドレイン本体ｂの受皿部ｃの直径と略等しく、その外周面ｓにはコンクリート硬化後の上方への引き抜き操作を容易とするために下狭まりの離脱用勾配が設けられている。そして、この保持装置ａによってドレイン本体ｂと抜き型体ｇとを受型枠ｄ上に移動不能に保持した状態でコンクリート２６を打設し、該コンクリート２６の硬化後に受型枠ｄと抜き型体ｇとを除去することにより、図１１に示すように、ドレイン本体ｂがコンクリート２６内に埋設されるとともに、該ドレイン本体ｂ上に抜き型体ｇの形状に一致した排水溝ｋを形成し得るようになっている。
【０００４】
また、上記のようにドレイン本体ｂを埋設施工した後、さらにコンクリート２６上にシート防水層２８（図５参照）を貼着して敷設する場合には、ドレイン本体ｂの周囲におけるシート防水層２８の被着性をよくするために、図１２に示すように、内方傾斜した受皿部ｃの上面の傾斜角度に略一致させて、該受皿部ｃの上面に対して略面一状となる防水層被着面ｎをドレイン本体ｂの周囲に形成する必要がある。このため、ドレイン本体ｂの周囲の余剰なコンクリート部分ｐを、鏨と金槌等の適宜の工具を用いて手作業で除去するハツリ作業を行うことにより、前記防水層被着面ｎを形成するようにしている。
【特許文献１】特開平１１−１８０２５５号公報
【発明の開示】
【発明が解決しようとする課題】
【０００５】
上述した余剰なコンクリート部分ｐを除去するハツリ作業を行う場合、該ハツリ作業は位置合わせが容易な受皿部ｃの外周部分側から始められるのであるが、この時、受皿部ｃの外周面ｍとコンクリート２６との間に隙間が生じる縁切れができ易く、また、誤って工具で受皿部ｃを破損させてしまう虞があった。さらに、手作業によるハツリ作業ではシート防水層２８を貼着するための平滑な防水層被着面ｎを形成し難いという問題点があった。
【０００６】
本発明は、このような従来の問題点を解消し得るドレイン用抜き型体保持装置を提供することを目的とするものである。
【課題を解決するための手段】
【０００７】
本発明は、受皿部と該受皿部から下方に延成された排水管部とからなり、受型枠上に保持されるドレイン本体の、その中心に一致させて該受型枠上に立設される支持杆と、前記ドレイン本体の受皿部に乗載され、前記支持杆が挿通される厚み方向の貫通孔が形成された抜き型体と、前記貫通孔に挿通されて抜き型体から上方へ突出する支持杆のその突出部に着脱自在に固定され、抜き型体の上面に当接してその高さ位置を保持する保持手段とを備えたドレイン用抜き型体保持装置において、前記抜き型体が受皿部の周縁から外方に延出する径大延出部を備え、該径大延出部の下面に、内方傾斜した受皿部上面の傾斜角度に略一致して、該受皿部上面に対して略面一状となる傾斜面が形成されていることを特徴とするドレイン用抜き型体保持装置である。
【０００８】
ここで、抜き型体の材質としては、安価で成形性がよく、適宜の弾性を備えた発泡スチロール，発泡ウレタン等の発泡合成樹脂が好適に用いられ得る。
【０００９】
また、前記ドレイン用抜き型体保持装置にあって、径大延出部の下面に、受皿部の外周面を囲繞する環状突部を一体形成してなる構成が提案される。
【００１０】
また、抜き型体に、上面と下面とを連通する水抜き孔を形成し、かつ該水抜き孔を囲繞する排水案内筒を、排水管部の開口領域内に臨ませて下方突成してなる構成が提案される。
【００１１】
さらに、抜き型体の下面に、受皿部の上面外周縁近傍に圧接して、打設したコンクリートから滲出する余剰水の浸入を防止するための弾性環状止水リブを備えている構成が提案される。
【発明の効果】
【００１２】
本発明は、上述したように、受皿部と該受皿部から下方に延成された排水管部とからなり、受型枠上に保持されるドレイン本体の、その中心に一致させて該受型枠上に立設される支持杆と、前記ドレイン本体の受皿部に乗載され、前記支持杆が挿通される厚み方向の貫通孔が形成された抜き型体と、前記貫通孔に挿通されて抜き型体から上方へ突出する支持杆のその突出部に着脱自在に固定され、抜き型体の上面に当接してその高さ位置を保持する保持手段とを備えたドレイン用抜き型体保持装置において、前記抜き型体が受皿部の周縁から外方に延出する径大延出部を備え、該径大延出部の下面に、内方傾斜した受皿部上面の傾斜角度に略一致して、該受皿部上面に対して略面一状となる傾斜面が形成されていることを特徴とするドレイン用抜き型体保持装置であるから、該ドレイン用抜き型体保持装置によってドレイン本体と抜き型体とを受型枠上に移動不能に保持した状態でコンクリートを打設し、該コンクリートの硬化後に抜き型体を除去すると、該抜き型体の径大延出部の下面に形成されている傾斜面によって、受皿部の周囲のコンクリート上面に、内方傾斜した受皿部の上面の傾斜角度に略一致し、該受皿部の上面に対して略面一状となる平滑な防水層被着面を簡単に形成することができる。これにより、従来のハツリ作業に起因する受皿部の外周面とコンクリートとの縁切れが生じることがなく、防水性が向上するとともに、ハツリ作業時における受皿部の破損も防止される。また、受皿部の外周部に近接する部分に平滑な防水層被着面を精度よく形成することができるとともに、受皿部の外周部に近接する部分における手作業によるハツリ作業を行う必要がないので作業能率が向上する。
【００１３】
また、前記径大延出部の下面に、受皿部の外周面を囲繞する環状突部を一体形成した構成にあっては、該環状突部によって、受皿部の外周面を囲繞する防水用コーキング溝をコンクリートの打設時に同時に形成することができ、この防水用コーキング溝にコーキングを施すことにより防水性をさらに向上させることができる。
【００１４】
また、前記抜き型体に、上面と下面とを連通する水抜き孔を形成し、かつ該水抜き孔を囲繞する排水案内筒を、排水管部の開口領域内に臨ませて下方突成する構成にあっては、打設したコンクリートの硬化に伴なってコンクリート上面に滲出する余剰水が前記水抜き孔から抜き型体の下方に導出されるとともに、排水案内筒によって排水管部の開口領域内に滴下させることができる。これにより、受皿部の内面を汚さずに前記余剰水を排水することができる。
【００１５】
さらに、抜き型体の下面に、受皿部の上面外周縁近傍に圧接して、打設したコンクリートから滲出する余剰水の浸入を防止するための弾性環状止水リブを備えている構成にあっては、受皿部の外周面から受皿部上面に浸入する余剰水を遮断することができ、該余剰水による受皿部の内面の汚れを防止することができる。
【発明を実施するための最良の形態】
【００１６】
以下に、本発明に係るドレイン用抜き型体保持装置１の第一実施例を、図１〜図５に基づいて説明する。
【００１７】
ドレイン用抜き型体保持装置１は、図１に示すように、受型枠６上に保持されるドレイン本体２の中心に一致させて該受型枠６上に立設される支持杆２１と、ドレイン本体２の受皿部３に乗載され、前記支持杆２１が挿通される厚み方向の貫通孔１２が形成された抜き型体８と、前記貫通孔１２に挿通されて抜き型体８から上方へ突出する支持杆２１のその突出部に着脱自在に固定され、抜き型体８の上面に当接してその高さ位置を保持する保持手段９とを備えている。
【００１８】
ここで、ドレイン本体２は、受皿部３と該受皿部３から下方に延成された排水管部４とからなり、該排水管部４を囲繞する筒状スペーサ５によって受型枠６上に保持されている。そして、前記ドレイン本体２の周囲で受型枠６上にコンクリート２６を打設する前に、前記ドレイン本体２の受皿部３に抜き型体８が乗載され、該ドレイン本体２と抜き型体８は後述の保持手段９により移動不能に保持される。尚、前記筒状スペーサ５は、所要のコンクリート厚に対応する長さに形成されたものが用いられる。
【００１９】
前記抜き型体８は、受皿部３に乗載された状態で、該受皿部３の周縁から外方に延出する径大延出部１０を備えており、該径大延出部１０の下面に、内方傾斜した受皿部３の上面の傾斜角度に略一致して、該受皿部３の上面に対して略面一状となる傾斜面１１が形成されている。また、その中心位置には厚み方向の貫通孔１２が形成されている。この抜き型体８を構成する材質には、安価で成形性がよく、適宜の弾性を備えた発泡スチロール，発泡ウレタン等の発泡合成樹脂が好適に用いられ得る。
【００２０】
また、抜き型体８には、前記貫通孔１２を中心として１８０°異なる位置に上面と下面とを連通する水抜き孔１３，１３が形成されており、該水抜き孔１３，１３の上部は、図２に示すように、貫通孔１２を中心として形成された環状溝１３’によって連通されている。抜き型体８の下面には、該水抜き孔１３，１３を囲繞する排水案内筒１４が、排水管部４の開口領域１５内に臨むようにして下方突成されている。さらに、抜き型体８の下面には、図３に示すように、受皿部３の上面外周縁近傍に対向する位置に複数条の弾性環状止水リブ１６が周方向に沿って形成されている。
【００２１】
一方、前記受型枠６の所定位置には、筒状スペーサ５の内径とほぼ等しい外径の位置決め板１７が釘１８により固定されている。そして該位置決め板１７には前記筒状スペーサ５の下端が外嵌される。これにより、前記筒状スペーサ５の上端に支持されるドレイン本体２はその位置及び高さが決定されることとなる。尚、位置決め板１７は、必ずしも筒状スペーサ５の内径とその外径を等しくする必要はなく、要は、受型枠６の上面に固着されて、後述の保持螺子孔１９を具備するものであればよい。
【００２２】
前記位置決め板１７は円板状金属板の周縁に上向きの曲げ加工を施し、かつその中心にナット２０を固着してそのナット孔を上下方向に延在する保持螺子孔１９としている。
【００２３】
前記位置決め板１７の中心に配設された保持螺子孔１９には、上下に長い支持杆２１の下端部に形成した雄螺子部２１ａを上方から螺着することにより、該支持杆２１を受型枠６上に立設するようにしている。この実施例では、支持杆２１は、前記雄螺子部２１ａに連続する雄螺子部２１ｂを全長に亘って形成した螺子杆によって構成されている。
【００２４】
この支持杆２１には、抜き型体８の上面に当接してその高さ位置を保持する保持手段９が着脱自在に固定される。該保持手段９は、円形の押止板２２の中心に雌螺子孔２３が形成され、さらに該雌螺子孔２３を中心として１８０°異なる位置に操作突部２４，２４を上方突成して構成されている。ここで、両操作突部２４，２４は、前記環状溝１３’と周方向で一致する位置で、押止板２２に夫々略コ字形の切込みを入れて上方に立ち上げることにより形成されており、これにより生ずる開口部が前記環状溝１３’を介して水抜き孔１３，１３と連通する導水孔２５，２５となっている。そして、前記雌螺子孔２３を支持杆２１の雄螺子部２１ｂに上方から螺合させ、操作突部２４，２４によって押止板２２を回転させることにより、保持手段９が支持杆２１に対して昇降及び着脱自在となるようにしている。
【００２５】
次に、ドレイン用抜き型体保持装置１を用いた施工手順について説明する。
上述のように釘１８により受型枠６上に位置決め板１７を固定した状態で、該位置決め板１７に筒状スペーサ５の下端を外嵌し、該筒状スペーサ５上にドレイン本体２の受皿部３を同心状に乗載する。そして、支持杆２１の下端の雄螺子部２１ａを位置決め板１７の保持螺子孔１９に螺合して該支持杆２１を立設させる。次いで、抜き型体８の貫通孔１２に前記支持杆２１を上端側から挿通し、該抜き型体８をドレイン本体２の受皿部３に乗載する。
【００２６】
そして、前記抜き型体８の貫通孔１２から上方へ突出した支持杆２１の雄螺子部２１ｂに、保持手段９としての押止板２２をその雌螺子孔２３によって螺合し、操作突部２４，２４によって押止板２２を回転させて下方移動させ、抜き型体８の上面に押圧状態で当接させる。これにより、ドレイン本体２及び抜き型体８が受型枠６上に移動不能に保持される。ここで、抜き型体８の下面には受皿部３の上面外周縁近傍に対向する位置に複数条の弾性環状止水リブ１６（図３参照）が形成されていることにより、該弾性環状止水リブ１６が受皿部３の上面外周縁近傍に圧接されることとなる。
【００２７】
かかる状態で、前記ドレイン本体２及び抜き型体８の周囲で受型枠６上にコンクリート２６を打設する。この打設するコンクリート２６の表面は、施工後のドレイン本体２による排水を容易とするために、抜き型体８部分が周囲のコンクリート面より低位となるように緩やかに傾斜させて施工される。
【００２８】
そして、コンクリート２６の打設後、数日間放置して養生される。ここで、打設したコンクリート２６が硬化するのに伴なって、余剰水がコンクリート２６の上面に滲出し、該余剰水が周囲より低位に設定された抜き型体８部分を中心にして集まることとなるのであるが、この余剰水は、水抜き孔１３，１３から抜き型体８の下方に導出されるとともに、排水案内筒１４によって排水管部４の開口領域１５内に滴下することとなる。これにより、受皿部３の内面を汚さずに前記余剰水を排水することができる。また、抜き型体８の下面に形成された弾性環状止水リブ１６が受皿部３の上面外周縁近傍に圧接されていることにより、受皿部３の外周面３’から受皿部３の上面に浸入する余剰水を遮断することができ、該余剰水による受皿部３の内面の汚れを防止することができる。
【００２９】
そして、コンクリート２６が硬化したら、押止板２２を締付け方向と反対方向に回転させて支持杆２１から取り外し、次いで、該支持杆２１も締付け方向と反対方向に回転させて位置決め板１７から取り外す。この状態で抜き型体８と受型枠６が除去可能となるので、該抜き型体８と受型枠６を硬化したコンクリート２６から除去する。そして、このように、抜き型体８を除去すると、該抜き型体８の径大延出部１０の下面に形成されている傾斜面１１によって、図４に示すように、受皿部３の周囲のコンクリート上面に、内方傾斜した受皿部３の上面の傾斜角度に略一致し、該受皿部３の上面に対して略面一状となる平滑な防水層被着面２７を簡単に形成することができる。その後、防水層被着面２７の上部側に若干残っている余剰なコンクリート部分２６’をハツリ作業で除去し、図５に示すように、シート防水層２８を敷設することにより施工が完了する。
【００３０】
このように、本発明にあっては、抜き型体８の径大延出部１０の下面に形成された傾斜面１１によって、受皿部３の周囲に所望の防水層被着面２７を簡単に形成することができるので、従来のハツリ作業に起因する受皿部３の外周面３’とコンクリート２６との縁切れが生じることがなく、防水性が向上するとともに、ハツリ作業時における受皿部３の破損も防止される。また、受皿部３の外周部に近接する部分に平滑な防水層被着面２７を精度よく形成することができるとともに、受皿部３の外周部に近接する部分における手作業によるハツリ作業を行う必要がないので作業能率を向上させることができる。
【００３１】
図６〜図８は第二実施例を示し、この実施例は、図６に示すように、前記抜き型体８の径大延出部１０の下面に、受皿部３の外周面３’を囲繞するようにして、環状突部２９を一体形成したものである。その他の構成は第一実施例と同じであり、同一部分に同一符号を付して重複する説明を省略する。
【００３２】
かかる構成にあっては、環状突部２９によって、図７に示すように、受皿部３の外周面３’を囲繞する防水用コーキング溝３０をコンクリート２６の打設時に同時に形成することができる。そして、図８に示すように、この防水用コーキング溝３０にコーキング剤３１を充填してコーキングを施すことにより、防水性をさらに向上させることができる。
【００３３】
尚、保持手段９としては、上述した構成に代えて、図９に示す変形実施例のように、中央に支持杆２１の挿通孔２３’を備え、かつ抜き型体８の環状溝１３’を介して水抜き孔１３，１３と連通する導水孔２５，２５を備えた円形の押止板２２と、該押止板２２の上部で支持杆２１の雄螺子部２１ｂに螺着されるナット３２とにより構成されたものや、本願出願人が実開平5-81448 号で提案した構成のもの等が適用され得る。また、上記実施例では、防水層被着面２７にシート防水層２８を敷設する場合について説明したが、本発明は、アスファルト防水層を敷設する場合にも適用可能である。
【図面の簡単な説明】
【００３４】
【図１】第一実施例にかかるドレイン用抜き型体保持装置１の施工状態を示す縦断面図である。
【図２】抜き型体８の平面図である。
【図３】弾性環状止水リブ１６部分を示す抜き型体８の部分拡大断面図である。
【図４】コンクリート２６の硬化後に抜き型体８と受型枠６を除去した状態を示す施工説明図である。
【図５】シート防水層２８を敷設した状態を示す施工説明図である。
【図６】第二実施例にかかるドレイン用抜き型体保持装置１の縦断面図である。
【図７】コンクリート２６の硬化後に抜き型体８と受型枠６を除去した状態を示す第二実施例の施工説明図である。
【図８】防水用コーキング溝３０にコーキング剤３１を充填した状態を示す施工説明図である。
【図９】保持手段９の変形実施例を示す要部の断面図である。
【図１０】従来構成のドレイン用抜き型体保持装置ａの施工状態を示す縦断面図である。
【図１１】コンクリート２６の硬化後に従来構成のドレイン用抜き型体保持装置ａの抜き型体ｇと受型枠ｄを除去した状態を示す施工説明図である。
【図１２】ドレイン本体ｂの周囲に形成される防水層被着面ｎの形態を示す説明図である。
【符号の説明】
【００３５】
１  ドレイン用抜き型体保持装置
２  ドレイン本体
３  受皿部
３’  外周面
４  排水管部
６  受型枠
８  抜き型体
９  保持手段
１０  径大延出部
１１  傾斜面
１２  貫通孔
１３  水抜き孔
１４  排水案内筒
１６  弾性環状止水リブ
２１  支持杆
２９  環状突部
２６  コンクリート
【図１】
2005325582.tif 000003
【図２】
2005325582.tif 000004
【図３】
2005325582.tif 000005
【図４】
2005325582.tif 000006
【図５】
2005325582.tif 000007
【図６】
2005325582.tif 000008
【図７】
2005325582.tif 000009
【図８】
2005325582.tif 000010
【図９】
2005325582.tif 000011
【図１０】
2005325582.tif 000012
【図１１】
2005325582.tif 000013
【図１２】
2005325582.tif 000014